(57)【要約】  画像データを管理する方法は、第１のカメラアセンブリ（１２）で前景を撮像して前景画像ファイルを生成するこ工程を含んでもよい。背景は、第２のカメラアセンブリ（１４）で撮像され、背景画像データを生成してもよい。背景画像データから取得されるデータは、カメラアセンブリのユーザの本人確認の一例として、前景画像ファイルと関連付けられてもよい。【選択図】  なし
2010531089.tif 000002
【特許請求の範囲】
【請求項１】
画像データを管理する方法であって、
第１のカメラアセンブリ（１２）で前景を撮像して前景画像ファイルを生成する工程と、
第２のカメラアセンブリ（１４）で背景を撮像して背景画像データを生成する工程と、
前記カメラアセンブリのユーザの本人確認の一例として、前記背景画像データから取得されるデータを前記前景画像ファイルと関連付ける工程と、
を有する方法。
【請求項２】
前記背景画像データから取得される前記データは、画像データと、顔認識ルーチンを前記背景画像データに適用することにより取得される前記ユーザと関連付けられるテキスト識別子と、の少なくとも一方であることを特徴とする請求項１に記載の方法。
【請求項３】
前記データは、メタデータとして前記前景画像ファイルと関連付けられることを特徴とする請求項２に記載の方法。
【請求項４】
顔認識ルーチンを前記前景画像ファイルに適用することにより取得される前記前景の前記画像中に写る個人と関連付けられたテキスト識別子を関連付ける工程を更に有することを特徴とする請求項１乃至３の何れか１項に記載の方法。
【請求項５】
前記第１のカメラアセンブリ及び前記第２のカメラアセンブリは、携帯電話（１０）の一部を形成することを特徴とする請求項１乃至４の何れか１項に記載の方法。
【請求項６】
前記第１のカメラアセンブリの視野の方向は、前記第２のカメラアセンブリの視野の方向とは逆であることを特徴とする請求項１乃至５の何れか１項に記載の方法。
【請求項７】
前記第２のカメラアセンブリの視野の方向は、前記第１のカメラアセンブリの視野の方向に対して移動可能であることを特徴とする請求項１乃至６の何れか１項に記載の方法。
【請求項８】
前景を撮像し且つ前景画像ファイルを生成する第１のカメラアセンブリ（１２）と、
背景を撮像し且つ背景画像データを生成する第２のカメラアセンブリ（１４）と、
前記前景画像ファイルを格納するメモリ（２６）と、
写真撮影デバイスのユーザの本人確認の一例として、前記背景画像データから取得されるデータと前記前景画像ファイルとを関連付けるように構成されるコントローラ（３２）と、
を備えることを特徴とする写真撮影デバイス。
【請求項９】
前記背景画像データから取得される前記データは、画像データと、顔認識ルーチンを前記背景画像データに適用することにより取得される前記ユーザと関連付けられるテキスト識別子と、の少なくとも一方であることを特徴とする請求項８に記載の写真撮影デバイス。
【請求項１０】
前記画像データは、メタデータとして前記前景画像ファイルと関連付けられることを特徴とする請求項９に記載の写真撮影デバイス。
【発明の詳細な説明】
【技術分野】
【０００１】
本発明は、一般に、写真撮影に関し、特に、撮影者に関連するデータをその写真に対応する画像ファイルに格納するシステム及び方法に関する。
【背景技術】
【０００２】
デジタルカメラは、カメラの視野を撮像して写真を撮る。写真は、メモリデバイスにより画像ファイルとして格納される。写真と共に格納されるのは、写真に関する情報であってもよい。例えば、メタデータは写真と関連付けられてもよい。メタデータは、例えば写真の撮影日時を含んでもよい。更なるメタデータが写真に追加されてもよい。例えばユーザは、写真に写る１人以上の人（１人の場合は「単数の被写体」又は複数人の場合は「複数の被写体」と呼ばれる）及び構図を決めシャッターボタンを押下することで撮影する人（「写真家」又は「カメラマン」と呼ばれる）の名前を手動入力してもよい。
【発明の概要】
【０００３】
写真家に関する情報を含む、写真に格納される情報を向上するために、本発明は、改善された写真撮影デバイス及び画像データを管理する方法について説明する。一実施形態において、デジタルカメラシステムは、カメラアセンブリのユーザにとっての関心のある主題を含む前景を撮像する一次カメラアセンブリを含む。カメラシステムは、背景を撮像する二次カメラアセンブリを含んでもよい。二次カメラアセンブリは、背景の写真中にユーザの顔を取り込むように構成されてもよい。一実施形態において、二次カメラアセンブリの視野は、カメラシステムの背後に又はユーザに近接して位置付けられる人の顔を更に取り込むのに十分に広範であってもよい。更なる実施形態において、背景の画像は顔認識ソフトウェアで解析され、ユーザの本人確認をしてもよい。また、背景の画像において他の人が識別されてもよい。背景画像、背景画像における人の本人確認又はそれら双方は、１次カメラアセンブリで取り込まれる画像と関連付けられてもよい。例えば関連付けられた情報は、メタデータの形式で添付されてもよい。顔認識ソフトウェアは、前景の画像に適用されてもよい。
【０００４】
本発明の１つの態様によると、画像データを管理する方法は、第１のカメラアセンブリで前景を撮像して前景画像ファイルを生成する工程と、第２のカメラアセンブリで背景を撮像して背景画像データを生成する工程と、カメラアセンブリのユーザの本人確認の一例(indication)として、背景画像データから取得されるデータを前景画像ファイルと関連付ける工程とを含む。
【０００５】
方法の一実施形態によると、背景画像データから取得されるデータは画像データである。
【０００６】
方法の一実施形態によると、画像データは、メタデータとして前景画像ファイルと関連付けられる。
【０００７】
方法の一実施形態によると、背景画像データから取得されるデータは、顔認識ルーチンを背景画像データに適用することにより取得されるユーザと関連付けられるテキスト識別子である。
【０００８】
方法の一実施形態によると、背景画像データは、前景画像ファイルとは別の画像ファイルに格納される。
【０００９】
一実施形態によると、方法は、顔認識ルーチンを前景画像ファイルに適用することにより取得される前景の画像中に写る個人と関連付けられるテキスト識別子を関連付けることを更に含む。
【００１０】
方法の一実施形態によると、一次カメラアセンブリ及び二次カメラアセンブリは、携帯電話の一部を形成する。
【００１１】
方法の一実施形態によると、一次カメラアセンブリの視野の方向は、二次カメラアセンブリの視野の方向とは逆である。
【００１２】
方法の一実施形態によると、二次カメラアセンブリの視野の方向は、一次カメラアセンブリの視野の方向に対して移動可能である。
【００１３】
本発明の別の態様によると、写真撮影デバイスは、前景を撮像し且つ前景画像ファイルを生成する第１のカメラアセンブリと、背景を撮像し且つ背景画像データを生成する第２のカメラアセンブリと、前景画像ファイルを格納するメモリと、写真撮影デバイスのユーザの本人確認の一例(indication)として、背景画像データから取得されるデータを前景画像ファイルと関連付けるように構成されるコントローラとを含む。
【００１４】
写真撮影デバイスの一実施形態によると、背景画像データから取得されるデータは画像データである。
【００１５】
写真撮影デバイスの一実施形態によると、画像データは、メタデータとして前景画像ファイルと関連付けられる。
【００１６】
写真撮影デバイスの一実施形態によると、背景画像データから取得されるデータは、顔認識ルーチンを背景画像データに適用することにより取得されるユーザと関連付けられるテキスト識別子である。
【００１７】
写真撮影デバイスの一実施形態によると、背景画像データは、前景画像ファイルとは別の画像ファイルに格納される。
【００１８】
写真撮影デバイスの一実施形態によると、コントローラは、顔認識ルーチンを前景画像ファイルに適用することにより取得される前景の画像中に写る個人と関連付けられるテキスト識別子を関連付ける。
【００１９】
写真撮影デバイスの一実施形態によると、一次カメラアセンブリの視野の方向は、二次カメラアセンブリの視野の方向とは逆である。
【００２０】
写真撮影デバイスの一実施形態によると、二次カメラアセンブリの視野の方向は、一次カメラアセンブリの視野の方向に対して可動である。
【００２１】
一実施形態によると、携帯電話は、写真撮影デバイスと、ネットワークを介して通話を確立する通話回路とを含む。
【００２２】
以下の説明及び添付の図面を参照することにより、これらの特徴及び更なる特徴が明らかとなるだろう。説明及び図面において、本発明の原理が使用されうるいくつかの方法の例として特定の実施形態が詳細に開示されているが、本発明の範囲はそれに限定されないことが理解される。逆に、本発明は、添付の請求の範囲の範囲内で全ての変更、変形及び均等物を含む。
【００２３】
一実施形態に対して説明及び／又は図示された特徴は、１つ以上の他の実施形態において、並びに／或いは他の実施形態の特徴と組み合わされて又はその代わりに、同一の方法又は同様の方法で使用されてもよい。
【００２４】
尚、本明細書で使用される場合の「備える」という用語は、記載される特徴、整数、ステップ（工程）又は構成要素の存在を特定するために使用され、１つ以上の他の特徴、整数、ステップ（工程）、構成要素又はそれらの集合の存在又は追加を除外しないということが強調されるべきである。
【図面の簡単な説明】
【００２５】
本明細書の一部に組み込まれ、本明細書の一部を構成する添付の図面は、ここで記述された一つ以上の実施形態を説明し、その記述と一緒にこれらの実施形態を説明する図である。
【図１】、
【図２】図１及び図２は、それぞれ、一次カメラアセンブリ及び二次カメラアセンブリを含む携帯電話を示す概略正面図及び概略背面図である。
【図３】図３は、携帯電話、並びに図１及び図２のカメラアセンブリの部分を示す概略ブロック図である。
【図４】図４は、携帯電話が動作する通信システムを示す概略図である。
【図５】図５は、カメラアセンブリが動作する方法を示すフローチャートである。
【発明を実施するための形態】
【００２６】
次に、図面を参照して実施形態を説明する。図中、同一の図中符号は同一の要素を示すために使用される。図面は必ずしも縮尺通りでないことが理解されるだろう。
【００２７】
本発明の態様は、写真撮影に関する。本明細書で説明する技術は、デジタルスチールカメラ等の写真撮影デバイスを使用した写真撮影に適用されてもよい。更に、本明細書で説明する技術は、適切に構成されたカメラ装置を含む任意の種類の電子デバイスにより実行されてもよい。例えば、専用のデジタルスチールカメラ及び／又はデジタルビデオカメラは、本明細書で説明するように組み立てられてもよい。別の例として、多くの携帯電話は、本明細書に従って組み立てられてもよい。例として、一次カメラアセンブリ及び二次カメラアセンブリを含む携帯電話に関して以下に説明する。しかし、開示される構造的な構成要素及び写真撮影技術は、携帯電話以外に適用され、例えば専用のカメラシステム、メディアプレーヤ、ゲーム機、コンピュータ等を含む任意の種類の適切な電子機器に関してもよい。また、開示される技術はスチール写真撮影に関して説明されるが、本技術はビデオ写真撮影にも同様に適用されてもよい。
【００２８】
本明細書において説明するために、「電子機器」及び「電子デバイス」という同義の用語は、携帯無線通信機器を含む。以下「移動通信端末」と呼ばれる「携帯無線通信機器」という用語は、例えば携帯電話、ページャ、通信機、電子オーガナイザ、パーソナルデジタルアシスタント（ＰＤＡ）、スマートフォン、携帯通信装置等の全ての機器を含む。
【００２９】
まず、図１から図３には、電子デバイス１０が示される。電子デバイス１０は、一次カメラアセンブリ１２及び二次カメラアセンブリ１４を含む。一次カメラアセンブリ１２は、電子ビューファインダ１６を見ながら画像を構成するユーザの正面を向く視野を有するように構成される。いくつかの実現例において、電子ビューファインダ１６は、一次カメラアセンブリ１２用の撮影光学系２２の最後の光学素子２０（例えば、レンズ又は保護カバー）を保有する筐体１８の側面とは反対側の電子ビューファインダ１６を保有する筐体１８の側面に位置すると考えられる。他の実現例において、電子ビューファインダ１６は、電子デバイス１０にヒンジで取り付けられ、最後の光学素子２０を保有する電子デバイス１０の一部に対して回転し及び／又はねじれうる部材等の可動部材に装着されてもよい。一実施形態において、電子ビューファインダ１６はディスプレイとして使用され、ディスプレイ１６とも呼ばれる。
【００３０】
二次カメラアセンブリ１４は、ユーザが一次カメラアセンブリ１２で構図を決め及び撮影する際にユーザに向き合う視野を有するように構成される。一実施形態において、カメラアセンブリ１２及び１４の視野は逆に向けられる。他の実施形態において、カメラアセンブリ１２及び１４の視野は異なるが、必ずしも逆向きではない。例えば、二次カメラアセンブリ１４の撮影光学系は、一次カメラアセンブリ１２の視野に対して動かされる部材に装着されてもよい（例えば、二次カメラアセンブリ１４は、電子ビューファインダ１６を更に保有する可動部材に装着されてもよい）。従って、二次カメラアセンブリ１４で撮像される背景は、必ずしも一次カメラアセンブリ１２で撮像される前景とは逆に向けられなくてもよい。従って、「背景」という用語は、一次カメラアセンブリ１２で撮像されるシーンとは異なる任意のシーンを含む。二次カメラアセンブリ１４の視野は、ユーザに近接する人が二次カメラアセンブリ１４で撮影される画像に取り込まれるのに十分に広範であってもよい。カメラアセンブリ１２及び１４の動作の更なる詳細、並びにカメラアセンブリ１２及び１４によりそれぞれ取り込まれる画像データの相互作用を以下に更に詳細に説明する。
【００３１】
画像データ管理の技術は、電子デバイス１０に常駐し且つ電子デバイス１０により実行される実行可能なコードとして具体化されてもよい。例えば一実施形態において、電子デバイス１０は、コンピュータ又は機械可読媒体に格納されるデュアルカメラ機能２４を実行するコントローラ又はプロセッサを含んでもよい。デュアルカメラ機能２４は、カメラアセンブリ１２及び１４の全体の動作又は動作の特定の側面を統治するために使用されてもよい。特に、デュアルカメラ機能２４は、カメラアセンブリ１２及び１４により生成される画像データを処理するために使用されてもよい。デュアルカメラ機能２４は、スタンドアロンソフトウェアアプリケーションであってもよく又は電子デバイス１０に関連する更なるタスクを実行するソフトウェアアプリケーションの一部を形成してもよい。
【００３２】
説明したように、カメラアセンブリ１２及び１４は、専用のカメラとして、或いは発呼、オーディオ及び／又はビデオコンテンツの再生等の他の機能を実行するデバイスの一部として具体化されてもよい。例えば、例示する実施形態において、カメラアセンブリ１２及び１４は、写真撮影に加えた機能を実行する電子デバイスの一部として含まれてもよい。例示する実施形態の電子デバイスは携帯電話であり、携帯電話１０と呼ばれる。携帯電話１０は「ストレート」型の筐体を有するものとして示されるが、「フリップ」型（例えば、「折りたたみ」型筐体）又はスライドタイプ型（例えば、「スライド型」筐体）のような他の筐体のタイプが利用されてもよいことが理解されるだろう。
【００３３】
説明したように、携帯電話１０はディスプレイ１６を含んでもよい。ディスプレイ１６は、例えば動作状態、時刻、電話番号、連絡先情報、種々のナビゲーションメニュー等の情報をユーザに表示し、ユーザが携帯電話１０の種々の機能を利用できるようにする。またディスプレイ１６は、携帯電話１０により受信され及び／又は携帯電話１０のメモリ２６から読み出されるコンテンツを視覚的に表示するために使用されてもよい。ディスプレイ１６は、写真、移動テレビコンテンツ及びゲームに関連するビデオ等の画像、ビデオ及び他のグラフィックスをユーザに提示するために使用されてもよい。更にディスプレイ１６は、カメラアセンブリ１２、１４の一方又は双方の動作中に電子ビューファインダとして使用されてもよい。電子デバイスが専用のカメラである一実施形態において、ディスプレイ１６はカメラと共に含まれ、電子ビューファインダとして機能し且つ取り込まれた画像を表示してもよい。電子ビューファインダに加えて、光学ビューファインダが示されてもよい。
【００３４】
キーパッド２８は、種々のユーザ入力動作に備える。例えばキーパッド２８は、電話番号、電話リスト、連絡先情報、ノート、テキスト等の英数字の情報の入力を可能にする英数字キーを含んでもよい。またキーパッド２８は、発呼又は着呼するための「通話」キー及び終話する又は電話を「切る」ための「終話」キー等の特殊なファンクションキーを含んでもよい。特殊なファンクションキーはメニューナビゲーションを更に含んでもよく、ディスプレイ１６上に表示されるメニューを介してナビゲートを容易にするキーを選択してもよい。例えば、ポインティングデバイス及び／又はナビゲーションキーは、ユーザからの指向的な入力を受け入れるために示されてもよい。特殊なファンクションキーは、再生の開始、停止及び一時停止、トラックのスキップ又は繰り返し等のための音声映像コンテンツ再生キーを含んでもよい。携帯電話に関連する他のキーは、音量キー、オーディオミュートキー、オン／オフ電源キー、ウェブブラウザ起動キー、カメラキー等を含んでもよい。
【００３５】
更にキー又はキーのような機能性は、ディスプレイ１６に関連するタッチスクリーンとして具体化されてもよい。また、ディスプレイ１６及びキーパッド２８は、互いに関連して使用され、ソフトキーの機能性を実現してもよい。
【００３６】
カメラアセンブリ１２及び１４の動作中、キーパッド２８の１つ以上のキーは、カメラアセンブリ１２及び１４を制御するために機能してもよい。例えば、キーパッド２８のキーの１つは、シャッターボタン３０として機能してもよい。ユーザは、シャッターボタン３０を押下し、一次カメラアセンブリ１２を使用して画像の取込みを命令してもよい。また、シャッターボタン３０を完全に押下又は半押しすることで、二次カメラアセンブリ１４を使用して画像の取込みを命令してもよい。
【００３７】
携帯電話１０は、携帯電話１０が一般に別の携帯電話又は固定電話であってもよい着呼／発呼デバイスと、通話を確立し及び／又は信号を交換できるようにする通話回路を含む。しかし、着呼／発呼デバイスは別の電話である必要はなく、例えばインターネットウェブサーバ、コンテンツ提供サーバ等の任意の他のデバイスであってもよい。通話は、任意の適切な形式をとってもよい。例えば通話は、セルラネットワークのパケット交換機能を介して、或いは、WiFi（例えば、IEEE 802.11規格に基づくネットワーク）、WiMax（例えば、IEEE 802.16規格に基づくネットワーク）等の別のパケット交換ネットワークを介して確立される、セルラ回線交換網又はvoice over Internet Protocol (VoIP)通話を介して確立される従来の通話であってもよい。別の例には、セルラネットワーク又は別のネットワークを介して確立されるビデオ対応通話が含まれる。
【００３８】
携帯電話１０は、テキストメッセージ、インスタントメッセージ、電子メールメッセージ、マルチメディアメッセージ、画像ファイル、ビデオファイル、オーディオファイル、呼出し音、ストリーミングオーディオ、ストリーミングビデオ、データ供給（ポッドキャスト及びreally simple syndication (RSS)データ供給を含む）等のデータを送信、受信及び／又は処理するように構成されてもよい。尚、テキストメッセージは、一般に、simple message serviceの略である「ＳＭＳ」と呼ばれることがある。ＳＭＳは、テキストメッセージ交換の一般的な規格である。同様に、マルチメディアメッセージは、一般に、multimedia message serviceの略である「ＭＭＳ」と呼ばれることがある。ＭＭＳは、マルチメディアメッセージ交換の一般的な規格である。処理データは、メモリ２６へのデータの格納、データとの相互作用をユーザに可能にするアプリケーションの実行、データと関連付けられるビデオ及び／又は画像コンテンツの表示、データと関連付けられるオーディオ音声の出力等を含んでもよい。
【００３９】
図３は、携帯電話１０を示す機能ブロック図である。簡略化するため、携帯電話１０の多くの機能については特に詳細には説明しない。携帯電話１０は、携帯電話１０の機能及び動作の全体の制御を実行するように構成された一次制御回路３２を含む。制御回路３２は、中央処理装置（ＣＰＵ）、マイクロコントローラ又はマイクロプロセッサ等の処理デバイス３４を含んでもよい。処理デバイス３４は、携帯電話１０の動作を実行するために、制御回路３２内のメモリ（不図示）及び／又はメモリ２６等の個別メモリに格納されたコードを実行する。メモリ２６は、例えば１つ以上のバッファ、フラッシュメモリ、ハードドライブ、リムーバブルメディア、揮発性メモリ、不揮発性メモリ、ランダムアクセスメモリ（ＲＡＭ）又は他の適切なデバイスであってもよい。一般的な構成において、メモリ２６は、長期データ格納用の不揮発性メモリ（例えば、ＮＡＮＤ又はＮＯＲアーキテクチャフラッシュメモリ）及び制御回路３２用のシステムメモリとして機能する揮発性メモリを含んでもよい。揮発性メモリは、同期ダイナミックアクセスメモリ（ＳＤＲＡＭ）により実現されるＲＡＭであってもよい。メモリ２６は、データバスを介して制御回路３２とデータを交換してもよい。メモリ２６と制御回路３２との間に付属の制御線及びアドレスバスが更に存在してもよい。
【００４０】
処理デバイス３４は、デュアルカメラ機能２４を実現するコードを実行してもよい。デュアルカメラ機能２４と関連付けられる論理機能を動作及び実行する携帯電話１０のプログラム方法は、コンピュータプログラミング、特に携帯電話、カメラ又は他の電子デバイスのアプリケーションプログラミングの当業者には明らかであろう。従って、簡略化するため、特定のプログラミングコードに関する詳細は省略されている。また、デュアルカメラ機能２４は一実施形態に従って処理デバイス３４により実行されるが、そのような機能性は、専用のハードウェア又はファームウェア、或いはハードウェア、ファームウェア及び／又はソフトウェアの任意の組合せを介して実行されてもよい。更に、デュアルカメラ機能２４は、メモリ２６等の機械可読媒体に格納されてもよい。
【００４１】
引き続き図１から図３を参照すると、携帯電話１０は、無線回路３８に接続されたアンテナ３６を含む。無線回路３８は、アンテナ３６を介して信号を送受信する無線周波数送受信装置を含む。無線回路３８は、移動通信システムにおいて動作するように構成されてもよく、データ及び／又は音声映像コンテンツを送受信するために使用されてもよい。移動無線ネットワーク及び／又は放送網と相互作用する受信部の種類は、汎用デジタル移動通信システム（ＧＳＭ）、符号分割多元接続（ＣＤＭＡ）、広帯域ＣＤＭＡ（ＷＣＤＭＡ）、汎用パケット無線サービス（ＧＰＲＳ）、WiFi、WiMax、デジタルビデオ放送−ハンドヘルド（ＤＶＢ−Ｈ）、総合デジタル放送サービス（ＩＳＤＢ）等、並びにそれらの規格のアドバンスドバージョンを含むがそれらに限定されない。
【００４２】
携帯電話１０は、無線回路３８により送信され且つ無線回路３８から受信されるオーディオ信号を処理する音声信号処理回路４０を更に含む。音声信号処理回路４０に接続されるのは、従来のように携帯電話１０を介してユーザが聴いたり話したりできるようにするスピーカ４２及びマイク４４である。無線回路３８及び音声信号処理回路４０は、全体の動作を実行するためにそれぞれ制御回路３２に接続される。オーディオデータは、ユーザに対して再生するために制御回路３２から音声信号処理回路４０に送られてもよい。オーディオデータは、例えば、メモリ２６により格納され且つ制御回路３２により読み込まれるオーディオファイルからのオーディオデータ、又は移動無線サービスからのストリーミングオーディオデータの形式等で受信されるオーディオデータを含んでもよい。音声信号処理回路４０は、任意の適当なバッファ、復号器、増幅器等を含んでもよい。
【００４３】
ディスプレイ１６は、ビデオデータをディスプレイ１６の駆動に使用されるビデオ信号に変換するビデオ処理回路４６により制御回路３２に接続されてもよい。ビデオ処理回路４６は、任意の適当なバッファ、復号器、ビデオデータプロセッサ等を含んでもよい。ビデオデータは、制御回路３２により生成されるか、メモリ２６に格納されたビデオファイルから読み込まれるか、無線回路３８により受信された入力ビデオデータストリームから取得されるか又は任意の他の適切な方法により取得されてもよい。
【００４４】
携帯電話１０は、１つ以上の入出力インタフェース４８を更に含んでもよい。入出力インタフェース４８は、通常の携帯電話入出力インタフェースの形式であってもよく、１つ以上の電気コネクタを含んでもよい。一般的なように、入出力インタフェース４８は、携帯電話１０を充電器に接続して、携帯電話１０内の電源ユニット（ＰＳＵ）５０のバッテリを充電するために使用されてもよい。更に又は代わりに、入出力インタフェース４８は、携帯電話１０を携帯電話１０との有線インタフェースを有するヘッドホンアセンブリ（例えば、パーソナルハンズフリー（ＰＨＦ）デバイス）に接続するように機能してもよい。また、入出力インタフェース４８は、データ交換用のデータケーブルを介して携帯電話１０をパーソナルコンピュータ又は他のデバイスに接続するように機能してもよい。携帯電話１０は、車両電源アダプタ又は電気コンセント電源アダプタに接続される際に入出力インタフェース４８を介して動作電力を受信してもよい。ＰＳＵ５０は、外部の電源がない場合には電力を供給して携帯電話１０を動作させてもよい。
【００４５】
携帯電話１０は、制御回路３２及びメモリ２６等、携帯電話１０の種々の構成要素をクロック制御するシステムクロック５２を更に含んでもよい。
【００４６】
携帯電話１０は、例えば全地球測位システム（ＧＰＳ）受信部、ガリレオ衛星システム受信部等のような位置データ受信部５４を更に含んでもよい。位置データ受信部５４は、携帯電話１０の場所の判定を行なってもよい。
【００４７】
携帯電話１０は、アクセサリ、別の移動無線端末、コンピュータ又は別のデバイスとの通信を確立する赤外線トランシーバ及び／又はＲＦインタフェース（例えば、Ｂｌｕｅｔｏｏｔｈインタフェース）等のローカル無線インタフェース５６を更に含んでもよい。例えばローカル無線インタフェース５６は、ヘッドホンアセンブリが対応する無線インタフェースを有する実施形態において、携帯電話１０をヘッドホンアセンブリ（例えば、ＰＨＦデバイス）に動作可能に接続してもよい。
【００４８】
引き続き図１から図３を参照すると、一次カメラアセンブリ１２は、デジタル信号プロセッサ（ＤＳＰ）等のコントローラ５８を含んでもよい。例示する実施形態において、カメラアセンブリ１２の制御機能の多くは、処理デバイス３４により実行される。従って、コントローラ５８は、専用のカメラデバイスにおいて見られるコントローラと比較して小型化されてもよく又は省略されてもよい。携帯電話１０の別の実施形態において、或いは一次カメラアセンブリ１２が専用のカメラを具体化する場合、処理デバイス３４により実行されるものとして説明される一次カメラアセンブリ１２の制御機能の一部又は全ては、コントローラ５８により実行されてもよい。
【００４９】
例示する実施形態において、一次カメラアセンブリ１２は、センサ６０（例えば、電荷結合素子、即ちＣＣＤ）を使用してカメラアセンブリの撮影光学系２２により決定されるような視野を撮像するデジタルカメラである。露出計６２は、視野の照度の状態を検出してもよい。フラッシュ６４は、写真撮影の間に補足的な照度を与えるために存在してもよい。
【００５０】
二次カメラアセンブリ１４は、一次カメラアセンブリ１２と同様に構成されてもよい。例えば二次カメラアセンブリ１４は、コントローラ、センサ、最後の光学素子６６を含む撮影光学系（例えば、レンズ又は保護カバー）、露出計及びフラッシュを有してもよい。これらの構成要素の一部は、一次カメラアセンブリ１２の構成要素と組み合わされるか又は省略されてもよい。従って、二次カメラアセンブリ１４は、処理デバイス３４及び／又はコントローラ５８により制御されてもよい。一実施形態において、二次カメラアセンブリ１４の解像度及び画像品質の機能は、一次カメラアセンブリ１２よりも劣ると考えられる。
【００５１】
処理デバイス３４及び／又はコントローラ５８は、露出計の動作及び露光設定の管理を含むがそれらに限定されないカメラアセンブリ１２及び１４の種々の動作的な面を制御してもよい。更に処理デバイス３４及び／又はコントローラ５８は、一次カメラアセンブリ１２及び二次カメラ突然１４により取り込まれる画像データの記憶装置を調整してもよい。以下に更に詳細に説明するように、例えば画像データは、デュアルカメラ機能２４の管理下で対応する画像ファイルのメモリ２６により格納されてもよい。
【００５２】
更に図４を参照すると、携帯電話１０は、通信システム６８の一部として動作するように構成されてもよい。システム６８には、携帯電話１０による発呼及び着呼を管理し、携帯電話１０にデータを送信し、任意の他のサポート機能を実行する１つの（又は複数の）サーバ７２を有する通信ネットワーク７０が含まれてもよい。サーバ７２は、送信媒体を介して携帯電話１０と通信する。送信媒体は、例えば通信タワー（例えば、セルタワー）、別の携帯電話、無線アクセスポイント、衛星等を含む任意の適当なデバイス又はアセンブリであってもよい。ネットワークの部分は、無線送信路を含んでもよい。ネットワーク７０は、複数の携帯電話１０及び他の種類のエンドユーザデバイスの通信活動をサポートしてもよい。理解されるように、サーバ７２は、サーバ機能を実行するために使用される通常のコンピュータシステムとして構成されてもよく、サーバ７２の機能を具体化する論理命令を含むソフトウェアを実行するように構成されるプロセッサと、そのようなソフトウェアを格納するメモリとを含んでもよい。
【００５３】
更に図５を参照すると、一次カメラアセンブリ１２及び二次カメラアセンブリ１４により取り込まれた画像データを管理及び格納する例示的な方法を実現する論理的な動作が示される。例示的な方法は、例えば処理デバイス３４及び／又はコントローラ５８と共に、デュアルカメラ機能２４等の実行コードにより実行されてもよい。従って、図５のフローチャートは、携帯電話１０により実行される方法のステップを示すものとして考えられてもよい。図５は機能的な論理ブロックを実行する特定の順序を示すが、ブロックを実行する順序は示される順序に対して変更されてもよい。また、連続して示される２つ以上のブロックは、同時に又は部分的に同時に実行されてもよい。更に、ある特定のブロックは省略されてもよい。
【００５４】
画像データを管理及び格納する方法の論理的なフローチャートは、ブロック７４から開始する。ブロック７４において、背景の画像は二次カメラアセンブリ１４を使用して取り込まれてもよい。この画像は後方画像と呼ばれてもよく、対応する画像ファイルがメモリ２６に格納されてもよい。ブロック７４に続いて、論理的なフローチャートはブロック７６に進み、顔認識ルーチンが後方画像ファイルに適用される。顔認識ルーチンは、デュアルカメラ機能２４の一部を形成してもよく、或いは携帯電話１０又はサーバ７２により実行される個別ソフトウェアアプリケーションの一部であってもよい（例えば画像データは、解析のためにサーバ７２に送信されてもよい）。顔認識ルーチンは、後方画像に写る１人以上の個人の本人確認をするために実行されてもよい。多くの状況において、ユーザが一次カメラアセンブリ１２により生成される写真を構成するために電子ビューファインダ１６を観察する場合、ユーザの顔が後方画像に取り込まれてもよい。他の個人の顔が後方画像に更に写ってもよい。
【００５５】
後方画像の取込みに加えて、方法は、ブロック７８に示されるように、一次カメラアセンブリ１２を使用して前景の画像を取り込むことを含んでもよい。この画像は前方画像と呼ばれてもよく、対応する画像ファイルはメモリ２６に格納されてもよい。ブロック７８に続いて、論理的なフローチャートは、顔認識ルーチンが前方画像に適用されるブロック８０に進むだろう。顔認識ルーチンは、前方画像に写る１人以上の個人の本人確認をするために実行されてもよい。
【００５６】
理解されるように、顔認識ルーチンは、後方画像及び／又は前方画像を解析して、画像中で検出される各個人の顔の特徴を識別してもよい。次に、顔認識ルーチンは、それらの特徴を周知の個人と一致させるように試みてもよい。例えば顔の特徴は、データベースに格納され且つ周知の個人とそれぞれ関連付けられる事前に識別された特徴と比較されてもよい。
【００５７】
後方画像の取込み及び後方画像への顔認識ルーチンの適用は、前方画像の取込み及び前方画像への正式な認識ルーチンの適用に対して任意の適当な時間で実行されてもよい。例えば後方画像は、前方画像の構成中に取り込まれてもよく且つ解析されてもよい（例えば、前方画像を取り込む前に）。一実施形態において、ユーザが電子ビューファインダ１６上に表示された視野フィードバック情報を使用して一次カメラアセンブリ１２を目標とする場合に後方画像が取り込まれてもよい。別の実施形態において、シャッターボタン３０を半押しすることで後方画像の取込みを命令してもよく、次に、このシャッターボタン３０を完全に押下することで前方画像の取込みが命令されてもよい。更に別の実施形態において、シャッターボタン３０を押下することにより、同時に又は略同時に後方画像を前方画像中に取り込むことを命令してもよい。
【００５８】
ブロック７６及び８０に続いて、論理的なフローチャートはブロック８２に進み、背景の画像から取得されるメタデータが前景の画像を格納するために使用されるファイルと共に格納される。一実施形態において、前景画像ファイルと関連付けられるメタデータは背景の画像である。例えば、適当なフォーマットの背景のサムネイル画像（例えば、交換可能画像ファイルフォーマット、即ちＥｘｉｆ）は、前景画像ファイルに添付されてもよい。他の例示的なフォーマットは、国際新聞電気通信評議会（ＩＰＴＣ）及び拡張可能メタデータプラットフォーム（ＸＭＰ）を含むがそれらに限定されない。別の実施形態において、後方画像への顔認識ルーチンの適用の結果は、前景画像ファイルに添付されてもよい。それらの結果は、後方画像から識別された任意の個人の本人確認であってもよい。本人確認は、名前又はニックネーム等のテキストの形式をとってもよく、或いはグラフィック又は画像であってもよい。本人確認は、前景画像ファイルと関連付けられる写真家タグに格納されてもよい。
【００５９】
更なるメタデータは、例えば前方画像への顔認識ルーチンの適用から識別される任意の個人の本人確認、（前景画像ファイルと関連付けられる被写体タグに格納されてもよい）、前方画像が取り込まれる際に設定されるタイムスタンプ（例えば、日時）、前方画像が取り込まれた場所等の前景画像ファイルと関連付けられてもよい。
【００６０】
メタデータは、上述したＥｘｉｆ、ＩＰＴＣ又はＸＭＰフォーマットのうちの１つ等、任意の適当なフォーマットで格納されてもよい。例えばメタデータは、前方画像ファイルの一部として格納されてもよい。後方画像から取得されるデータを前方画像ファイルの一部として格納することは、データを前景画像と関連付ける例示的な技術である。別の例示的な実施形態において、背景画像から取得されるデータは、サイドカー等の前方画像シーンファイルと関連付けられる個別のファイルに格納されてもよい。別の例示的な実施形態において、背景画像から取得されるデータはデータベースに格納されてもよい。
【００６１】
いくつかの実施形態において、後方画像ファイルは、必ずしも前方画像ファイルとは別に格納される必要はない。個別の後方画像ファイル及び前方画像ファイルが格納される実施形態において、後方画像ファイルはブロック７６又はブロック８２の何れか一方に続いて削除されてもよい。また、顔認識ルーチンによる後方画像及び／又は前方画像の解析は省略されてもよい。
【００６２】
ユーザに基づく情報を写真と関連付けるシステム及び方法を開示した。ユーザに基づく情報は、ユーザ及び／又はユーザの本人確認の写真の形式であってもよい。このように、写真家に関する正確な情報は、複数の写真を撮る複数の個人間で共有されるカメラで写真を撮る状況においても保存されるだろう。また、写真家の出現は、主な写真を撮る時に取り込まれてもよい。本人確認及び／又は出現は、後に主な写真を見る際に各個人にとって関心事となるだろう。更に、写真家の本人確認及び／又は出現は、例えば主な写真の内容がウェブサイト又はブログの一部として投稿される際に寄与するだろう。また、写真家の本人確認及び／又は出現は、主な写真と関連付けられる芸術的印象を高めるだろう。
【００６３】
ある特定の実施形態を図示し且つ説明したが、本明細書を読み且つ理解することにより、他の当業者が添付の特許請求の範囲内で均等物及び変形を考案できることは理解される。
【図１】
2010531089.tif 000003
【図２】
2010531089.tif 000004
【図３】
2010531089.tif 000005
【図４】
2010531089.tif 000006
【図５】
2010531089.tif 000007
【手続補正書】
【提出日】平成21年5月20日(2009.5.20)
【手続補正１】
【補正対象書類名】特許請求の範囲
【補正対象項目名】全文
【補正方法】変更
【補正の内容】
【特許請求の範囲】
【請求項１】
画像データを管理する方法であって、
第１のカメラアセンブリ（１２）で前景を撮像して前景画像ファイルを生成する工程と、
第２のカメラアセンブリ（１４）で背景を撮像して背景画像データを生成する工程と、
前記カメラアセンブリのユーザの本人確認として、前記前景画像ファイルと共に前記背景画像データから取得されたデータを格納する工程と、を有し、
前記背景画像データから取得されたデータは、画像データと、顔認識ルーチンを前記背景画像データに適用することにより取得された前記ユーザと関連付けられたテキスト識別子と、の少なくとも一方であり、且つ前記第１及び第２のカメラアセンブリの前記ユーザの本人確認として、前記取得された画像データ又はテキスト識別子を前記前景画像ファイルのメタデータとして格納することを特徴とする方法。
【請求項２】
前記メタデータは、画像データと、前記ユーザに関連付けられたテキスト識別子との少なくとも一方であることを特徴とする請求項１に記載の方法。
【請求項３】
顔認識ルーチンを前記前景画像ファイルに適用することにより取得される前記前景の前記画像中に写る個人と関連付けられたテキスト識別子を関連付ける工程を更に有することを特徴とする請求項１又は２に記載の方法。
【請求項４】
前記第１のカメラアセンブリ及び前記第２のカメラアセンブリは、携帯電話（１０）の一部を形成することを特徴とする請求項１乃至３の何れか１項に記載の方法。
【請求項５】
前記第１のカメラアセンブリの視野の方向は、前記第２のカメラアセンブリの視野の方向とは逆であることを特徴とする請求項１乃至４の何れか１項に記載の方法。
【請求項６】
前記第２のカメラアセンブリの視野の方向は、前記第１のカメラアセンブリの視野の方向に対して移動可能であることを特徴とする請求項１乃至５の何れか１項に記載の方法。
【請求項７】
前景を撮像し且つ前景画像ファイルを生成する第１のカメラアセンブリ（１２）と、
背景を撮像し且つ背景画像データを生成する第２のカメラアセンブリ（１４）と、
前記前景画像ファイルを格納するメモリ（２６）と、
写真撮影デバイスのユーザの本人確認として、前記前景画像ファイルと共に前記背景画像データから取得されたデータを格納するように構成されるコントローラ（３２）と、を備え、
前記背景画像データから取得されたデータは、画像データと、顔認識ルーチンを前記背景画像データに適用することにより取得されたユーザと関連付けられたテキスト識別子と、の少なくとも一方であり、且つ写真撮影デバイスのユーザの本人確認として、前記取得された画像データ又はテキスト識別子は、前記前景画像ファイルのメタデータとして格納されることを特徴とする写真撮影デバイス。
【請求項８】
前記メタデータは、画像データと、前記ユーザに関連付けられたテキスト識別子との少なくとも一方であることを特徴とする請求項７に記載の写真撮影デバイス。
【国際調査報告】
2010531089.tif 000008
2010531089.tif 000009
2010531089.tif 000010